(57)【要約】【課題】制御対象とする撮像装置を自動的に選択することが可能な情報処理装置、情報処理システム、情報処理方法およびプログラムを提供する。【解決手段】接続されている撮像装置の動作状態情報を取得する取得部と、前記取得部により取得される前記撮像装置の動作状態情報に基づいて特定される撮像装置に動作指示を行う動作指示部と、を備える情報処理装置。接続されている撮像装置の動作状態情報を取得することと、取得される前記撮像装置の動作状態情報に基づいて特定される撮像装置に動作指示を行うことと、を含む情報処理方法。【選択図】図１
2015128254.tif 000002
【特許請求の範囲】
【請求項１】
接続されている撮像装置の動作状態情報を取得する取得部と、
前記取得部により取得される前記撮像装置の動作状態情報に基づいて特定される撮像装置に動作指示を行う動作指示部と、
を備える情報処理装置。
【請求項２】
前記動作状態情報は、動作モードを示す情報を含み、
前記動作指示部は、取得された撮像装置の動作状態情報の示す動作モードと関連する動作モードである撮像装置に動作指示を行う、請求項１に記載の情報処理装置。
【請求項３】
前記動作指示部は、正常動作しない動作状態の撮像装置には動作指示を行わない、請求項２に記載の情報処理装置。
【請求項４】
前記動作指示部は、前記取得部により取得される前記撮像装置の動作状態の変化を契機に動作指示を行う、請求項１に記載の情報処理装置。
【請求項５】
前記動作指示は、前記変化に係る撮像装置と異なる撮像装置の動作状態を、前記変化に係る撮像装置の変化後の動作状態に遷移させる指示を含む、請求項４に記載の情報処理装置。
【請求項６】
前記動作指示は、前記変化に係る撮像装置と異なる撮像装置の動作状態を、前記変化に係る撮像装置の変化後の動作状態と異なる動作状態に遷移させる指示を含む、請求項４に記載の情報処理装置。
【請求項７】
前記動作指示部は、動作異常により前記撮像装置の動作状態が変化した場合、動作指示を行わない、請求項４に記載の情報処理装置。
【請求項８】
前記動作指示が行われる契機となる前記変化に係る撮像装置を設定する設定部をさらに備え、
前記動作指示部は、前記設定部により設定された撮像装置の動作状態の変化を契機に動作指示を行う、請求項４に記載の情報処理装置。
【請求項９】
前記動作指示部は、撮像装置の属するグループ毎に動作指示を行う、請求項４に記載の情報処理装置。
【請求項１０】
前記動作指示部は、動作状態が変化した撮像装置の属するグループに属する、前記動作状態が変化した撮像装置と異なる撮像装置に動作指示を行う、請求項９に記載の情報処理装置。
【請求項１１】
前記情報処理装置は、前記撮像装置である、請求項１に記載の情報処理装置。
【請求項１２】
撮像部と、
動作状態情報を送信する通信部と、
を有する撮像装置と、
接続されている前記撮像装置の動作状態情報を受信する通信部と、
前記通信部により受信される前記撮像装置の動作状態情報に基づいて特定される撮像装置に動作指示を、前記通信部を介して行う動作指示部と、
を有する情報処理装置と、
を備え、
前記撮像装置は、前記情報処理装置からの動作指示に基づいて撮像部の制御を行う情報処理システム。
【請求項１３】
接続されている撮像装置の動作状態情報を取得することと、
取得される前記撮像装置の動作状態情報に基づいて特定される撮像装置に動作指示を行うことと、
を含む情報処理方法。
【請求項１４】
接続されている撮像装置の動作状態情報を取得する取得機能と、
前記取得機能により取得される前記撮像装置の動作状態情報に基づいて特定される撮像装置に動作指示を行う動作指示機能と、
をコンピュータに実現させるためのプログラム。
【発明の詳細な説明】
【技術分野】
【０００１】
本開示は、情報処理装置、情報処理システム、情報処理方法およびプログラムに関する。
【背景技術】
【０００２】
近年、デジタルカメラ等の撮像装置に通信技術を適用した製品が一般に流通するようになっている。このような撮像装置は、外部の情報処理装置等から通信を介して動作が制御され得る。
【０００３】
例えば、特許文献１では、１のリモートコントローラを用いて複数の撮像装置の動作を制御する発明が開示されている。
【０００４】
また、特許文献２では、複数の撮像装置が相互に通信接続され、１の撮像装置からの通知を受信した他の撮像装置が当該通知に基づいて動作を行う発明が開示されている。
【先行技術文献】
【特許文献】
【０００５】
【特許文献１】特開２００１−３２６８４５号公報
【特許文献２】特開２０１２−１１９８４６号公報
【発明の概要】
【発明が解決しようとする課題】
【０００６】
しかし、特許文献１および２の発明では、通信相手となる撮像装置を自動的に特定することが困難である。
【０００７】
例えば、特許文献１の発明では、リモートコントローラにより制御が行われる撮像装置をユーザが選択する構成であり、自動的な撮像装置の選択は想定されていない。
【０００８】
また、特許文献２の発明では、１の撮像装置が接続される他の撮像装置の全てに通知を送信する構成であるため、他の撮像装置に対して選択的に通知を送信することは困難である。
【０００９】
そこで、本開示は、制御対象とする撮像装置を自動的に特定することが可能な、新規かつ改良された情報処理装置、情報処理システム、情報処理方法およびプログラムを提案する。
【課題を解決するための手段】
【００１０】
本開示によれば、接続されている撮像装置の動作状態情報を取得する取得部と、前記取得部により取得される前記撮像装置の動作状態情報に基づいて特定される撮像装置に動作指示を行う動作指示部と、を備える情報処理装置が提供される。
【００１１】
また、本開示によれば、撮像部と、動作状態情報を送信する通信部と、を有する撮像装置と、接続されている前記撮像装置の動作状態情報を受信する通信部と、前記通信部により受信される前記撮像装置の動作状態情報に基づいて特定される撮像装置に動作指示を、前記通信部を介して行う動作指示部と、を有する情報処理装置と、を備え、前記撮像装置は、前記情報処理装置からの動作指示に基づいて撮像部の制御を行う情報処理システムが提供される。
【００１２】
また、本開示によれば、接続されている撮像装置の動作状態情報を取得することと、取得される前記撮像装置の動作状態情報に基づいて特定される撮像装置に動作指示を行うことと、を含む情報処理方法が提供される。
【００１３】
また、本開示によれば、接続されている撮像装置の動作状態情報を取得する取得機能と、前記取得機能により取得される前記撮像装置の動作状態情報に基づいて特定される撮像装置に動作指示を行う動作指示機能と、をコンピュータに実現させるためのプログラムが提供される。
【発明の効果】
【００１４】
以上説明したように本開示によれば、制御対象とする撮像装置を自動的に選択することが可能な情報処理装置、情報処理システム、情報処理方法およびプログラムが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】本開示の一実施形態に係る情報処理装置の概要を説明するための図である。
【図２】本開示の第１の実施形態に係る情報処理装置および撮像装置の概略的な機能構成を示すブロック図である。
【図３】本実施形態に係る情報処理装置の記憶部に記憶される撮像装置の動作状態情報の例を示す図である。
【図４】本実施形態に係る情報処理装置の動作の例を示す図である。
【図５】本実施形態における情報処理装置および撮像装置の処理を概念的に示すシーケンス図である。
【図６】本実施形態の第２の変形例における情報処理装置および撮像装置の処理を概念的に示すシーケンス図である。
【図７】本実施形態の第４の変形例に係る情報処理装置の撮像装置のグループ内で行われる動作指示の例を説明するための図である。
【図８】本実施形態の第４の変形例に係る情報処理装置の撮像装置のグループを跨いで行われる動作指示の例を説明するための図である。
【図９】本開示の第２の実施形態に係る情報処理装置および撮像装置の概略的な機能構成を示すブロック図である。
【図１０】本実施形態における情報処理装置の処理を概念的に示すフローチャートである。
【図１１】本開示に係る情報処理装置のハードウェア構成を示した説明図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．本開示の一実施形態に係る情報処理装置の概要
２．本開示の第１の実施形態（撮像装置の動作状態に基づいて動作指示を行う例）
２−１．本実施形態に係る情報処理装置の構成
２−２．本実施形態における情報処理装置の処理
２−３．本実施形態における変形例
３．本開示の第２の実施形態（動作指示の起点となる撮像装置の設定を行う例）
３−１．本実施形態に係る情報処理装置の構成
３−２．本実施形態における情報処理装置の処理
３−３．本実施形態における変形例
４．本開示の一実施形態に係る情報処理装置のハードウェア構成
５．むすび
【００１８】
＜１．本開示の一実施形態に係る情報処理装置の概要＞
まず、図１を参照して、本開示の一実施形態に係る情報処理装置の概要について説明する。図１は、本開示の一実施形態に係る情報処理装置の概要を説明するための図である。
【００１９】
図１に示される情報処理装置１００は、ユーザにより移動される可搬式の携帯通信端末であり、複数の撮像装置２００と通信接続を行う。また、情報処理装置１００は、複数の撮像装置２００の動作制御を並行して行う機能を有する。このため、情報処理装置１００は、通信を介して複数の撮像装置２００の動作を並行して制御することが可能である。
【００２０】
例えば、図１に示したように、情報処理装置１００は、撮像装置２００Ａ〜２００Ｃと通信接続を行い、撮像装置２００Ａ〜２００Ｃの各々の動作の制御、例えば、撮像処理の実行等を、通信を介して行うことが可能である。
【００２１】
ここで、情報処理装置１００に接続されている撮像装置２００の各々が一律に制御されるとすると、一部の撮像装置２００において撮像装置２００の状態に適していない制御が行われることにより、当該制御に係る通信資源の浪費、または当該制御を受けた撮像装置２００における誤作動等を生じさせる可能性がある。一方で、制御対象の撮像装置２００をユーザに選択させるとすると、制御要求の度にユーザが制御対象の撮像装置２００を選択することになり、ユーザの利便性が低下する可能性がある。そこで、情報処理装置１００は、撮像装置２００の動作状態情報を取得し、取得された動作状態情報に基づいて特定される撮像装置２００に対して動作指示を行う。
【００２２】
例えば、図１に示したように、まず、情報処理装置１００は、接続されている撮像装置２００Ａ〜２００Ｃの各々から動作状態情報、例えば、動作モードを取得し得る。
【００２３】
次に、情報処理装置１００は、例えば、動作指示に係る動作モードが動画モードであった場合、動作モードが動画モードである撮像装置２００Ａおよび２００Ｃを特定し、特定された撮像装置２００Ａおよび２００Ｃに対して動作指示を行う。
【００２４】
このように、本開示の一実施形態に係る情報処理装置１００は、撮像装置２００の動作状態情報を取得し、取得された動作状態情報に基づいて特定される撮像装置２００に対して動作指示を行う。このため、制御対象とする撮像装置２００が自動的に選択されて動作指示されることにより、ユーザの利便性を向上させることが可能となる。なお、図１においては情報処理装置１００の一例としてディスプレイ付リモートコントローラを示しているが、情報処理装置１００は、スマートフォン、タブレット端末、デジタルカメラ、携帯ゲーム機、またはＰＤＡ（Ｐｅｒｓｏｎａｌ  Ｄｉｇｉｔａｌ  Ａｓｓｉｓｔａｎｔｓ）等の携帯通信端末であってもよい。また、説明の便宜上、第１、第２の実施形態による情報処理装置１００の各々を、情報処理装置１００−１、および情報処理装置１００−２のように、末尾に実施形態に対応する番号を付することにより区別する。
【００２５】
＜２．本開示の第１の実施形態（撮像装置の動作状態に基づいて動作指示を行う例）＞
以上、本開示の一実施形態に係る情報処理装置１００の概要について説明した。次に、本開示の第１の実施形態に係る情報処理装置１００−１について説明する。本実施形態に係る情報処理装置１００−１は、撮像装置２００の動作状態情報に基づいて特定される撮像装置２００に対して動作指示を行う。
【００２６】
［２−１．本実施形態に係る情報処理装置の構成］
まず、図２を参照して、本開示の第１の実施形態に係る情報処理装置１００−１および撮像装置２００の構成について説明する。図２は、本開示の第１の実施形態に係る情報処理装置１００−１および撮像装置２００の概略的な機能構成を示すブロック図である。
【００２７】
図２に示したように、情報処理装置１００−１は、通信部１０２、記憶部１０４、動作指示部１０６および表示部１０８を備える。
【００２８】
通信部１０２は、取得部の一例として機能し、撮像装置２００との通信を行う。具体的には、通信部１０２は、撮像装置２００の動作状態情報および撮像装置２００の撮像により得られた画像データ等の受信、ならびに撮像装置２００に対する動作指示の送信を行う。さらに、通信部１０２は、受信された撮像装置２００の動作状態情報を記憶部１０４に記憶させる。例えば、通信部１０２は、ＷｉＦｉ（登録商標）、Ｂｌｕｅｔｏｏｔｈ（登録商標）またはＺｉｇｂｅｅ（登録商標）等を利用した無線通信を行い得る。
【００２９】
記憶部１０４は、撮像装置２００の動作状態情報を記憶する。例えば、図３を参照して、記憶部１０４の記憶する撮像装置２００の動作状態情報について説明する。図３は、本実施形態に係る情報処理装置１００−１の記憶部１０４に記憶される撮像装置２００の動作状態情報の例を示す図である。図３に示したように、撮像装置２００の動作状態情報は、動作モードを示す情報（以下、動作モード情報とも呼ぶ。）および処理実行状態を示す情報（以下、処理実行状態情報とも呼ぶ。）を含み得る。動作モードは、動画撮影を行う動画モード、または静止画撮影を行う静止画モード等であり、処理実行状態は、動画等の記録中、または待機中等の状態であり得る。記憶部１０４は、図３に示したように、撮像装置２００の各々について、動作モード情報および処理実行状態情報を保持し得る。例えば、記憶部１０４は、撮像装置２００であるカメラＡの動作モードは動画モードであり、カメラＡの処理実行状態は記録中であることを記憶し得る。
【００３０】
ここで図２を参照して情報処理装置１００−１の構成の説明に戻ると、動作指示部１０６は、撮像装置２００に対する動作指示の生成を行う。具体的には、動作指示部１０６は、通信部１０２により受信された撮像装置２００の動作状態が変化した場合に、当該撮像装置２００の動作状態情報に基づいて、動作指示を行う撮像装置２００を特定する。
【００３１】
より具体的には、動作指示部１０６は、通信部１０２により受信された撮像装置２００の動作状態情報に含まれる処理実行状態が変化した場合に、当該撮像装置２００の動作状態情報の示す動作モードと関連する動作モードである撮像装置２００に対する動作指示を生成する。また、撮像装置２００に対する動作指示は、処理実行状態の変化した撮像装置２００と異なる撮像装置２００の処理実行状態を、処理実行状態の変化した撮像装置２００の変化後の処理実行状態へ遷移させる動作指示である。例えば、図４を参照して、動作指示部１０６の動作を説明する。図４は、本実施形態に係る情報処理装置１００−１の動作の例を示す図である。
【００３２】
図４に示したように、まず、情報処理装置１００−１は、撮像装置２００から動作モード情報および処理実行状態情報を取得する。例えば、図４の左図に示したように、通信部１０２は、通信を介して、撮像装置２００Ａ〜２００Ｃから動作モード情報および処理実行状態情報を取得し得る。そして、通信部１０２は、取得された動作モード情報を記憶部１０４に記憶させ得る。なお、図４の左図に示したように、撮像装置２００Ａおよび２００Ｃの動作モードは、動画モードであり、撮像装置２００Ｂの動作モードは、静止画モードであり得る。
【００３３】
次に、情報処理装置１００−１は、撮像装置２００からさらに処理実行状態情報を取得し、処理実行状態が変化したかの判定を行う。例えば、図４の中図に示したように、通信部１０２は、撮像装置２００Ａからさらに処理実行状態情報を取得し得る。そして、動作指示部１０６は、取得された撮像装置２００Ａの処理実行状態と記憶部１０４に記憶される撮像装置２００Ａの処理実行状態との比較を行い、処理実行状態が変化したかの判定を行い得る。
【００３４】
撮像装置２００の動作状態が変化したと判定された場合、情報処理装置１００−１は、処理実行状態の変化した撮像装置２００の変化後の処理実行状態への状態遷移指示を生成し、処理実行状態の変化した撮像装置２００の動作モードと関連する動作モードである撮像装置２００に対して動作指示を行う。例えば、撮像装置２００Ａの処理実行状態が待機中から記録中に変化したと判定されると、動作指示部１０６は、処理実行状態を記録中へ遷移させる旨の動作指示を生成する。そして、図４の右図に示したように、動作指示部１０６は、通信部１０２に、動作モードが撮像装置２００Ａの動作モードと同じ動画モードである撮像装置２００Ｃに対して、生成された動作指示を送信させ得る。なお、撮像装置２００Ｂは、動作モードが静止画モードであるため、動作指示部１０６は、通信部１０２に、生成された動作指示を送信させない。また、動作指示部１０６は、遷移させる処理実行状態と同じ処理実行状態の撮像装置２００には動作指示を行わなくてもよい。なお、上記では、動作指示部１０６は、動作モードが同一である撮像装置２００に対して動作指示を行う例を説明したが、動作指示部１０６は、例えば、静止画モードの撮像装置２００の処理実行状態が記録中に変化した場合、インターバル静止画モードである撮像装置２００に処理実行状態を記録中に遷移させる動作指示を行ってもよい。
【００３５】
このように、動作指示部１０６は、通信部１０２により受信された撮像装置２００の動作状態が変化した場合に、当該撮像装置２００の動作状態情報に基づいて、動作指示を行う撮像装置２００を特定する。このため、１の撮像装置２００の動作状態が変化すると、他の撮像装置２００に対して動作指示が行われることにより、ユーザの操作の手数を低減することが可能となる。
【００３６】
さらに、動作指示部１０６は、撮像装置２００の処理実行状態が変化した場合に、当該撮像装置２００の動作モードと関連する動作モードである撮像装置２００に対する動作指示を生成する。このため、関連しない動作モードである撮像装置２００に対して動作指示が行われないことにより、動作指示に係る通信量および処理負荷等を低減することが可能となる。
【００３７】
また、動作指示部１０６は、処理実行状態の変化した撮像装置２００と異なる撮像装置２００に対する、処理実行状態の変化した撮像装置２００の変化後の処理実行状態への状態遷移指示を行う。このため、状態遷移が自動的に行われることにより、ユーザの遷移先の状態を指定する操作等を省くことができ、利便性を向上させることが可能となる。
【００３８】
なお、上記では、動作指示は、処理実行状態の状態遷移指示である例を説明したが、動作指示は、動作モード等の設定変更指示であってもよい。例えば、動作指示は、動作モード、画質または露出制御等の設定変更の指示であり得る。このため、撮像装置２００の制御が幅広く行われることにより、ユーザの利便性を向上させることが可能となる。
【００３９】
ここで図２を参照して情報処理装置１００−１の構成の説明に戻ると、表示部１０８は、撮像装置２００から受信される動作状態および画像等を表示する。例えば、表示部１０８は、液晶パネルまたは有機ＥＬ（Ｅｌｅｃｔｒｏ  Ｌｕｍｉｎｅｓｃｅｎｃｅ）等であり得る。
【００４０】
また、図２に示したように、撮像装置２００は、通信部２０２、動作制御部２０４および撮像部２０６を備える。
【００４１】
通信部２０２は、情報処理装置１００−１との通信を行う。具体的には、通信部２０２は、撮像部２０６の撮像により得られた画像等および撮像装置２００の動作状態情報を情報処理装置１００−１に対して送信し、動作指示を情報処理装置１００−１から受信する。
【００４２】
動作制御部２０４は、情報処理装置１００−１から受信される動作指示に従って撮像装置２００の動作の制御を行う。具体的には、動作制御部２０４は、撮像装置２００の動作モード等の設定変更を行い、当該設定に従って撮像部２０６の動作の制御を行う。
【００４３】
撮像部２０６は、動作制御部２０４による制御指示に基づいて撮像を行う。例えば、撮像部２０６は、光を集光する撮影レンズおよびズームレンズなどの撮像光学系、およびＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の信号変換素子を備え得る。
【００４４】
［２−２．本実施形態における情報処理装置の処理］
次に、本実施形態における情報処理装置１００−１の処理について図５を参照して説明する。図５は、本実施形態における情報処理装置１００−１および撮像装置２００の処理を概念的に示すシーケンス図である。
【００４５】
まず、撮像装置２００Ａ、２００Ｂおよび２００Ｃは、動作状態情報を情報処理装置１００−１に対して送信する（ステップＳ３０２〜Ｓ３０６）。具体的には、通信部２０２により情報処理装置１００−１の存在が検出されると、動作制御部２０４は、通信部２０２に、動作モード情報および処理実行状態情報を含む動作状態情報を情報処理装置１００−１に対して送信させる。
【００４６】
次に、情報処理装置１００−１は、受信された動作状態情報を記録する（ステップＳ３０８）。具体的には、通信部１０２は、撮像装置２００Ａ〜２００Ｃによって送信された動作状態情報を受信し、受信された動作状態情報を記憶部１０４に記憶させる。
【００４７】
次に、撮像装置２００Ａは、記録を開始する（ステップＳ３１０）。具体的には、動作制御部２０４は、撮像装置２００Ａに対するユーザ操作等に基づいて、撮像装置２００Ａの処理実行状態を記録中に遷移させ、撮像部２０６に撮像を開始させる。
【００４８】
次に、撮像装置２００Ａは、動作状態情報を情報処理装置１００−１に対して送信する（ステップＳ３１２）。具体的には、動作制御部２０４は、通信部２０２に、記録中であることを示す処理実行状態情報を含む動作状態情報を、情報処理装置１００−１に対して送信させる。
【００４９】
次に、情報処理装置１００−１は、受信された動作状態情報と記録された動作状態情報とに基づいて動作状態の変化を検出する（ステップＳ３１４）。具体的には、動作指示部１０６は、撮像装置２００Ａから受信された動作状態情報に含まれる処理実行状態情報の示す処理実行状態と、記憶部１０４に記憶される撮像装置２００Ａの動作状態情報の示す処理実行状態とが相違するかの判定を行い、撮像装置２００Ａの動作状態の変化を検出する。
【００５０】
ステップＳ３１４にて、動作状態の変化が検出された場合、情報処理装置１００−１は、動作指示を行う撮像装置を特定する（ステップＳ３１６）。具体的には、動作指示部１０６は、記憶部１０４に記憶される撮像装置２００Ｂおよび２００Ｃの各々の動作モードと、撮像装置２００Ａの動作モードとの比較を行い、動作モードが一致する撮像装置２００Ｃを特定する。
【００５１】
次に、情報処理装置１００−１は、記録動作指示を撮像装置２００Ｃに対して送信する（ステップＳ３１８）。具体的には、動作指示部１０６は、処理実行状態を記録中に遷移させる動作指示を生成し、通信部２０２に、生成された動作指示を撮像装置２００Ｃに対して送信させる。
【００５２】
次に、撮像装置２００Ｃは、記録を開始する（ステップＳ３２０）。具体的には、通信部２０２により情報処理装置１００−１から受信された動作指示に基づいて、動作制御部２０４は、撮像装置２００Ｃの処理実行状態を記録中に設定し、撮像部２０６に対して撮像を開始させる。
【００５３】
次に、撮像装置２００Ｃは、動作状態情報を送信する（ステップＳ３２２）。具体的には、動作制御部２０４は、通信部２０２に、設定変更された処理実行状態情報を含む動作状態情報を情報処理装置１００−１に対して送信させる。
【００５４】
次に、情報処理装置１００−１は、受信された動作状態情報を記録する（ステップＳ３２４）。具体的には、通信部１０２は、撮像装置２００Ｃから受信された動作状態情報に含まれる処理実行状態情報を記憶部１０４に記憶させる。
【００５５】
このように、本開示の第１の実施形態によれば、情報処理装置１００−１は、撮像装置２００の動作状態情報を取得し、取得された動作状態情報に基づいて特定される撮像装置２００に対して動作指示を行う。このため、制御対象とする撮像装置２００が、当該撮像装置２００の動作状態情報に基づいて自動的に特定されるため、ユーザに操作を行わせずに済み、ユーザの利便性を向上させることが可能となる。
【００５６】
［２−３．本実施形態における変形例］
以上、本開示の第１の実施形態について説明した。なお、本実施形態は、上述の例に限定されない。以下に、本実施形態の第１〜第４の変形例について説明する。
【００５７】
（第１の変形例）
本実施形態の第１の変形例として、動作指示部１０６は、正常動作しない動作状態の撮像装置２００には動作指示を行わなくてもよい。具体的には、動作指示部１０６は、生成された動作指示を通信部１０２に送信させる際、動作モードが処理実行状態の変化した撮像装置２００の動作モードと関連する動作モードであり、かつ処理実行状態が異常状態でない撮像装置２００を特定する。そして、動作指示部１０６は、通信部１０２に、特定された撮像装置２００に対して生成された動作指示を送信させる。例えば、撮像装置２００の異常状態は、記録メディアが挿入されていない状態等であり得る。
【００５８】
このように、本実施形態の第１の変形例によれば、動作指示部１０６は、正常動作しない動作状態の撮像装置２００には動作指示を行わない。このため、動作指示に係る通信および処理が行われないことにより、通信量および処理負荷を低減することが可能となる。
【００５９】
（第２の変形例）
本実施形態の第２の変形例として、動作指示は、動作状態の変化した撮像装置２００と異なる撮像装置２００の動作状態を、動作状態の変化した撮像装置２００の変化後の動作状態と異なる動作状態に遷移させる指示であってもよい。具体的には、動作指示部１０６は、処理実行状態の変化した撮像装置２００と異なる撮像装置２００の処理実行状態を、処理実行状態の変化した撮像装置２００の変化後の処理実行状態と異なる処理実行状態に遷移させる指示を生成する。例えば、図６を参照して、上記の動作指示の一例として、撮像により得られる画像の露出オーバーまたは露出アンダーに対する補正処理において、互いに異なる露出制御値で撮像が行われた複数の画像の合成を行うために、複数の撮像装置２００の各々で異なる露出制御値を設定する例を説明する。図６は、本実施形態の第２の変形例における情報処理装置１００−１および撮像装置２００の処理を概念的に示すシーケンス図である。
【００６０】
まず、情報処理装置１００−１は、撮像装置２００Ａ〜２００Ｃに対して露出制御指示を送信する（ステップＳ４０２）。具体的には、動作指示部１０６は、情報処理装置１００−１の備える他の機能からの入力等を契機に、露出制御指示を生成し、通信部１０２に、撮像装置２００Ａ〜２００Ｃに対して生成された露出制御指示を送信させる。例えば、情報処理装置１００−１の備える他の機能は、ユーザ操作検出機能または各種センサ等であり得る。
【００６１】
情報処理装置１００−１から露出制御指示を受信した撮像装置２００Ａは、露出制御値Ａを設定する（ステップＳ４０４）。具体的には、動作制御部２０４は、撮像装置２００Ａの露出制御値をＡに変更し、撮像部２０６は、当該露出制御値に基づいて撮像を行う。例えば、露出制御値Ａは３ＥＶ（Ｅｘｐｏｓｕｒｅ  Ｖａｌｕｅ）であり得る。
【００６２】
次に、撮像装置２００Ａは、情報処理装置１００−１に対して動作状態情報を送信する（ステップＳ４０６）。具体的には、動作制御部２０４は、通信部２０２に、情報処理装置１００−１に対して設定した露出制御値Ａを含む動作状態情報を送信させる。
【００６３】
撮像装置２００Ａから露出制御値Ａを受信した情報処理装置１００−１は、受信された動作状態情報を記録する（ステップＳ４０８）。具体的には、通信部１０２は、受信された露出制御値Ａを記憶部１０４に記憶させる。
【００６４】
次に、情報処理装置１００−１は、露出制御値Ａに基づいて露出制御値ＢおよびＣを決定する。具体的には、動作指示部１０６は、受信された露出制御値Ａに対して、露出制御値ＢおよびＣを異なる値に決定する。例えば、動作指示部１０６は、露出制御値Ａが３ＥＶであるのに対し、露出制御値Ｂを５ＥＶ、露出制御値Ｃを１３ＥＶに決定し得る。
【００６５】
次に、情報処理装置１００−１は、撮像装置２００Ｂに対して露出制御値Ｂとする動作指示を送信する（ステップＳ４１２）。具体的には、動作指示部１０６は、露出制御値をＢとする動作指示を生成し、通信部１０２に、撮像装置２００Ｂに対して生成された動作指示を送信させる。
【００６６】
情報処理装置１００−１から動作指示を受信した撮像装置２００Ｂは、露出制御値Ｂを設定する（ステップＳ４１４）。具体的には、動作制御部２０４は、受信された動作指示に従って、撮像装置２００の露出制御値をＢに設定し、撮像部２０６は、当該露出制御値に基づいて撮像を行う。
【００６７】
ステップＳ４１２と同様に、情報処理装置１００−１は、撮像装置２００Ｃに対して露出制御値Ｃとする動作指示を送信する（ステップＳ４１６）。
【００６８】
ステップＳ４１４と同様に、情報処理装置１００−１から動作指示を受信した撮像装置２００Ｃは、露出制御値Ｃを設定する（ステップＳ４１８）。
【００６９】
次に、撮像装置２００Ｂは、情報処理装置１００−１に対して動作状態情報を送信する（ステップＳ４２０）。具体的には、動作制御部２０４は、通信部２０２に、情報処理装置１００−１に対して露出制御値をＢに設定した旨を含む動作状態情報を送信させる。
【００７０】
ステップＳ４２０と同様に、撮像装置２００Ｃは、情報処理装置１００−１に対して動作状態情報を送信する（ステップＳ４２２）。
【００７１】
撮像装置２００Ｂおよび２００Ｃより動作状態情報を受信した情報処理装置１００−１は、露出制御値ＢおよびＣを記録する（ステップＳ４２４）。具体的には、通信部１０２により撮像装置２００Ｂおよび２００Ｃから露出制御値を設定した旨を含む動作状態情報が受信されると、動作指示部１０６は、記憶部１０４に露出制御値ＢおよびＣを記憶させる。
【００７２】
このように、本実施形態の第２の変形例によれば、動作指示部１０６の生成する動作指示は、動作状態の変化した撮像装置２００と異なる撮像装置２００の動作状態を、動作状態の変化した撮像装置２００の変化後の動作状態と異なる動作状態に遷移させる動作指示である。このため、撮像装置２００の各々に異なる動作指示が行われることにより、複数の撮像装置２００に対してより高度な協調制御を行うことが可能となる。
【００７３】
（第３の変形例）
本実施形態の第３の変形例として、動作指示部１０６は、動作異常により撮像装置２００の動作状態が変化した場合、動作指示を行わなくてもよい。具体的には、動作指示部１０６は、撮像装置２００から受信された動作状態情報に含まれる処理実行状態が動作異常により遷移された状態である場合、当該動作状態情報の変化に基づいた動作指示を生成しない。例えば、動作異常により遷移された状態は、記録メディアの記憶容量が上限に達したことにより停止された状態であり得る。
【００７４】
このように、本実施形態の第３の変形例によれば、動作指示部１０６は、動作異常により撮像装置２００の動作状態が変化した場合、動作指示を行わない。このため、ユーザの意図に沿わない可能性のある動作指示を実行させないことにより、ユーザの利便性を向上させることが可能となる。
【００７５】
（第４の変形例）
本実施形態の第４の変形例として、動作指示部１０６は、撮像装置２００の属するグループ毎に動作指示を行ってもよい。具体的には、動作指示部１０６は、動作状態の変化した撮像装置２００の属するグループに属する、動作状態の変化した撮像装置２００と異なる撮像装置２００に動作指示を行う。例えば、図７を参照して、撮像装置２００のグループ内で動作指示が行われる例について説明する。図７は、本実施形態の第４の変形例に係る情報処理装置１００−１の撮像装置２００のグループ内で行われる動作指示の例を説明するための図である。
【００７６】
まず、情報処理装置１００−１は、複数の撮像装置２００の各々の属するグループを設定する。例えば、図７の左図に示したように、動作指示部１０６は、接続されている撮像装置２００Ａ〜２００Ｅについて、撮像装置２００Ｄおよび２００ＥをグループＸに、撮像装置２００Ａ〜２００Ｃの各々をグループＹに設定し得る。例えば、グループＸは屋外に設置される撮像装置２００の属するグループであり、グループＹは屋内に設置される撮像装置２００の属するグループであるように、ユーザにより設定され得る。なお、グループの設定は、ユーザ操作に基づいて行われたり、記憶部１０４に記憶される所定の判断基準により自動的に行われたりされ得る。
【００７７】
そして、情報処理装置１００−１は、動作状態の変化した撮像装置２００から動作状態情報を受信すると、当該撮像装置２００の属するグループに属する他の撮像装置２００に対して動作指示に係る処理を行う。例えば、通信部１０２により処理実行状態が記録中に変化した撮像装置２００Ｄから動作状態情報が受信されると、動作指示部１０６は、接続されている撮像装置２００Ａ〜２００Ｅの中から、撮像装置２００Ｄの属するグループと同じグループに属する撮像装置２００Ｅを特定する。そして、動作指示部１０６は、撮像装置２００Ｅの動作モードが撮像装置２００Ｄと関連する動作モードであると判定し、図７の右図に示したように、通信部１０２に、撮像装置２００Ｅに対して動作指示を送信させる。そして、動作指示を受信した撮像装置２００Ｅは、処理実行状態を記録中に遷移させ得る。
【００７８】
このように、本実施形態の第４の変形例によれば、動作指示部１０６は、撮像装置２００の属するグループ毎に動作指示を行う。このため、動作指示の対象がグループ単位で扱われることにより、個々の撮像装置２００を指定することなく動作指示を行うことが可能となる。さらに、動作指示部１０６は、動作状態の変化した撮像装置２００の属するグループに属する、動作状態の変化した撮像装置２００と異なる撮像装置２００に動作指示を行う。このため、自グループの撮像装置２００に対して自動的に動作指示が行われることにより、ユーザが動作指示の対象範囲を設定する操作等を行わずに済み、利便性を向上させることが可能となる。
【００７９】
また、動作指示部１０６は、動作状態の変化した撮像装置２００の属するグループと異なるグループに属する撮像装置２００に動作指示を行ってもよい。例えば、図８を参照して、撮像装置２００のグループを跨いで動作指示が行われる例について説明する。図８は、本実施形態の第４の変形例に係る情報処理装置１００−１の撮像装置２００のグループを跨いで行われる動作指示の例を説明するための図である。
【００８０】
まず、情報処理装置１００−１は、複数の撮像装置２００の各々の属するグループを設定する。詳細については、グループ内で行われる動作指示と実質的に同一であるため説明を省略する。
【００８１】
そして、情報処理装置１００−１は、動作状態の変化した撮像装置２００から動作状態情報を受信すると、当該撮像装置２００の属するグループと異なるグループに属する撮像装置２００に対して動作指示に係る処理を行う。例えば、通信部１０２により処理実行状態が記録中に変化した撮像装置２００Ｄから動作状態情報が受信されると、動作指示部１０６は、接続されている撮像装置２００Ａ〜２００Ｅの中から、撮像装置２００Ｄの属するグループと異なるグループに属する撮像装置２００Ａ〜２００Ｃを特定する。そして、動作指示部１０６は、撮像装置２００Ａ〜２００Ｃの各々の動作モードが撮像装置２００Ｄと関連する動作モードであると判定し、図８の右図に示したように、通信部１０２に、撮像装置２００Ａ〜２００Ｃに対して動作指示を送信させる。そして、動作指示を受信した撮像装置２００Ａ〜２００Ｃの各々は、処理実行状態を記録中に遷移させ得る。
【００８２】
このように、動作指示部１０６は、動作状態の変化した撮像装置２００の属するグループと異なるグループに属する撮像装置２００に動作指示を行う。このため、他グループの撮像装置２００に対して自動的に動作指示が行われることにより、ユーザが動作指示の対象範囲を設定する操作等を行わずに済み、利便性を向上させることが可能となる。
【００８３】
なお、上記では、動作指示部１０６は、動作状態の変化した撮像装置２００の属するグループと異なるグループに動作指示を行う例を説明したが、動作指示部１０６は、動作状態の変化した撮像装置２００の属するグループと異なるグループのうち、所定の条件を満たすグループに動作指示を行ってもよい。例えば、所定の条件は、ユーザにより定義され得る。この場合、動作指示を行うグループが選択されることにより、ユーザの細かなニーズに対応することが可能となる。
【００８４】
＜３．本開示の第２の実施形態（動作指示の起点となる撮像装置の設定を行う例）＞
以上、本開示の第１の実施形態に係る情報処理装置１００−１について説明した。次に、本開示の第２の実施形態に係る情報処理装置１００−２について説明する。本実施形態に係る情報処理装置１００−２は、動作指示を行う契機となる動作状態の変化に係る撮像装置２００（以下、動作指示の起点となる撮像装置２００とも呼ぶ。）の設定を行う。
【００８５】
［３−１．本実施形態に係る情報処理装置の構成］
まず、図９を参照して、本開示の第２の実施形態に係る情報処理装置１００−２および撮像装置２００の構成について説明する。図９は、本開示の第２の実施形態に係る情報処理装置１００−２および撮像装置２００の概略的な機能構成を示すブロック図である。
【００８６】
図９に示したように、情報処理装置１００−２は、通信部１０２、記憶部１０４、動作指示部１０６および表示部１０８に加え、操作検出部１２０および設定部１２２を備える。
【００８７】
操作検出部１２０は、動作指示の起点となる撮像装置２００の選択操作の検出を行う。具体的には、操作検出部１２０は、情報処理装置１００−２が備える操作部に対するユーザ操作に基づいて、動作指示の起点となる撮像装置２００の選択操作を検出する。例えば、ユーザの操作は、上下キーの押下による選択操作、またはタッチパネル等に対して行われるタッチ操作による選択操作等であり得る。
【００８８】
設定部１２２は、操作検出部１２０により選択操作が検出された撮像装置２００を動作指示の起点となる撮像装置２００に設定する。具体的には、設定部１２２は、操作検出部１２０により検出される選択操作に基づいて特定される撮像装置２００を、動作指示の起点となる撮像装置２００として設定し、記憶部１０４に当該設定を記憶させる。
【００８９】
動作指示部１０６は、動作状態が変化した撮像装置２００が動作指示の起点となる撮像装置２００である場合、動作指示を行う。具体的には、動作指示部１０６は、通信部１０２により受信された動作状態情報と記憶部１０４に記憶される動作状態情報とに基づいて、動作状態が変化したと判定された場合、記憶部１０４から動作指示の起点となる撮像装置２００を取得し、受信された動作状態情報に係る撮像装置２００が取得された撮像装置２００として設定されているかの判定を行う。受信された動作状態情報に係る撮像装置２００が取得された撮像装置２００として設定されていると判定された場合、動作指示部１０６は、動作指示の処理を行う。
【００９０】
表示部１０８は、撮像装置２００の選択操作に係る画像等を表示する。例えば、表示部１０８は、通信部１０２より接続されている撮像装置２００の一覧を取得し、記憶部１０４に記憶されている動作指示の起点となる撮像装置２００の設定を取得して、動作指示の起点となる撮像装置２００の選択画面を表示し得る。また、表示部１０８は、操作検出部１２０により検出される選択操作に応じて、選択画面を更新し得る。
【００９１】
［３−２．本実施形態における情報処理装置の処理］
次に、本実施形態における情報処理装置１００−２の処理について図１０を参照して説明する。図１０は、本実施形態における情報処理装置１００−２の処理を概念的に示すフローチャートである。
【００９２】
まず、情報処理装置１００−２は、撮像装置２００が接続されるまで待機する（ステップＳ５０２）。
【００９３】
ステップＳ５０２にて、撮像装置２００が接続されると、情報処理装置１００−２は、動作指示の起点となる撮像装置を設定する（ステップＳ５０４）。具体的には、通信部１０２により撮像装置２００との通信接続が確立されると、表示部１０８は、接続されている撮像装置２００の一覧を表示する。そして、設定部１２２は、操作検出部１２０により検出されるユーザの選択操作に基づいて特定される撮像装置２００を動作指示の起点となる撮像装置２００として設定する。さらに、設定部１２２は、設定内容を記憶部１０４に記憶させる。
【００９４】
次に、情報処理装置１００−２は、動作状態情報を受信するまで待機する（ステップＳ５０６）。
【００９５】
ステップＳ５０６にて、動作状態情報が受信されると、情報処理装置１００−２は、動作指示の起点となる撮像装置２００から動作状態情報を受信したかの判定を行う（ステップＳ５０８）。具体的には、通信部１０２により撮像装置２００の動作状態情報が受信されると、動作指示部１０６は、記憶部１０４に記憶されている設定に基づいて、受信された動作状態情報の送信元の撮像装置２００が動作指示の起点となる撮像装置２００として設定されているかの判定を行う。
【００９６】
ステップＳ５０８にて、動作指示の起点となる撮像装置２００から動作状態情報を受信したと判定された場合、情報処理装置１００−２は、動作状態が変化したかの判定を行う（ステップＳ５１０）。詳細については、第１の実施形態に係る情報処理装置１００−１における処理フローチャートのステップＳ３１４の処理と実質的に同一であるため、説明を省略する。
【００９７】
ステップＳ５１０にて、動作状態が変化したと判定された場合、情報処理装置１００−２は、受信された動作状態情報を記録する（ステップＳ５１２）。詳細については、第１の実施形態に係る情報処理装置１００−１における処理フローチャートのステップＳ３０８の処理等と実質的に同一であるため、説明を省略する。
【００９８】
次に、情報処理装置１００−２は、動作指示を行う撮像装置２００を特定する（ステップＳ５１４）。詳細については、第１の実施形態に係る情報処理装置１００−１における処理フローチャートのステップＳ３１６の処理と実質的に同一であるため、説明を省略する。
【００９９】
次に、情報処理装置１００−２は、特定された撮像装置２００に動作指示を送信する（ステップＳ５１６）。
【０１００】
次に、情報処理装置１００−２は、動作指示を送信した撮像装置２００から動作状態情報を受信するまで待機する（ステップＳ５１８）。
【０１０１】
ステップＳ５１８にて、動作指示を送信した撮像装置２００から動作状態情報が受信されると、情報処理装置１００−２は、受信した動作状態情報を記録する（ステップＳ５２０）。
【０１０２】
このように、本開示の第２の実施形態によれば、情報処理装置１００−２は、ユーザ操作等に基づいて、動作指示の起点となる撮像装置２００を設定し、設定された撮像装置２００の動作状態の変化を契機に動作指示を行う。このため、動作指示の起点となる撮像装置２００が特定されることにより、ユーザの意図しない動作指示の発生を抑制することが可能となる。例えば、ユーザにより衝撃を受けやすい位置に設置される撮像装置２００が、動作指示の起点となる撮像装置２００として設定されないことにより、衝撃による誤作動等の影響が他の撮像装置２００に及ぶことを防止することが可能となる。また、複数の撮像装置２００を複数人で操作する場合に、撮像権限のある者の撮像装置２００は動作指示の起点となる撮像装置２００として設定され、他の者の撮像装置２００には当該設定が行われないことにより、全ての撮像装置２００の撮像開始および停止等を撮像権限のある者の操作に基づいて行うことが可能となる。
【０１０３】
なお、上記の例では、ユーザ操作により動作指示の起点となる撮像装置２００が設定される例を説明したが、当該設定は、自動的に設定されてもよい。例えば、設定部１２２は、撮像装置２００の種類を撮像装置２００から取得し、所定の種類である撮像装置２００を動作指示の起点となる撮像装置２００として設定し得る。この場合、ユーザによる設定操作を省略することが可能となる。
【０１０４】
［３−３．本実施形態における変形例］
以上、本開示の第２の実施形態について説明した。なお、本実施形態は、上述の例に限定されない。以下に、本実施形態の変形例について説明する。
【０１０５】
本実施形態の変形例として、設定部１２２は、撮像装置２００の属するグループ単位で動作指示の起点となる撮像装置２００を設定してもよい。具体的には、設定部１２２は、グループの選択操作が行われると、選択操作が行われたグループに属する撮像装置２００を動作指示の起点となる撮像措置２００として設定する。例えば、操作検出部１２０により動作指示の起点となる撮像装置２００の設定画面等でグループ選択操作が行われたことが検出されると、設定部１２２は、選択操作が行われたグループに属する撮像装置２００の各々を動作指示の起点となる撮像装置２００として設定し、記憶部１０４に当該設定を記憶させる。なお、撮像装置２００の属するグループの設定は、予めユーザ操作等により行われ、記憶部１０４に記憶され得る。
【０１０６】
このように、本実施形態の変形例によれば、設定部１２２は、撮像装置２００の属するグループ単位で動作指示の起点となる撮像装置２００を設定する。このため、ユーザは個々の撮像装置２００に対して設定を行わずに済み、ユーザの利便性を向上させることが可能となる。
【０１０７】
＜４．本開示の一実施形態に係る情報処理装置のハードウェア構成＞
以上、本発明の実施形態を説明した。上述した情報処理装置１００の処理は、ソフトウェアと、以下に説明する情報処理装置１００のハードウェアとの協働により実現される。
【０１０８】
図１１は、本開示に係る情報処理装置１００のハードウェア構成を示した説明図である。図１１に示したように、情報処理装置１００は、ＣＰＵ（Ｃｅｎｔｒａｌ  Ｐｒｏｃｅｓｓｉｎｇ  Ｕｎｉｔ）１３２と、ＲＯＭ（Ｒｅａｄ  Ｏｎｌｙ  Ｍｅｍｏｒｙ）１３４と、ＲＡＭ（Ｒａｎｄｏｍ  Ａｃｃｅｓｓ  Ｍｅｍｏｒｙ）１３６と、ブリッジ１３８と、バス１４０と、インターフェース１４２と、入力装置１４４と、出力装置１４６と、ストレージ装置１４８と、接続ポート１５０と、通信装置１５２とを備える。
【０１０９】
ＣＰＵ１３２は、演算処理装置および制御装置として機能し、各種プログラムと協働して情報処理装置１００内の動作指示部１０６、操作検出部１２０および設定部１２２の動作を実現する。また、ＣＰＵ１３２は、マイクロプロセッサであってもよい。ＲＯＭ１３４は、ＣＰＵ１３２が使用するプログラムまたは演算パラメータ等を記憶する。ＲＡＭ１３６は、ＣＰＵ１３２の実行にいて使用するプログラムまたは実行において適宜変化するパラメータ等を一時記憶する。ＲＯＭ１３４およびＲＡＭ１３６により、情報処理装置１００内の記憶部１０４の一部を実現する。ＣＰＵ１３２、ＲＯＭ１３４およびＲＡＭ１３６は、ＣＰＵバスなどから構成される内部バスにより相互に接続されている。
【０１１０】
入力装置１４４は、マウス、キーボード、タッチパネル、ボタン、マイクロフォン、スイッチおよびレバーなどユーザが情報を入力するための入力手段、およびユーザによる入力に基づいて入力信号を生成し、ＣＰＵ１３２に出力する入力制御回路などから構成されている。情報処理装置１００のユーザは、入力装置１４４を操作することにより、情報処理装置１００に対して各種のデータを入力したり処理動作を指示したりすることができる。
【０１１１】
出力装置１４６は、情報処理装置１００の表示部１０８の一例として、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプなどの装置への出力を行う。さらに、出力装置１４６は、スピーカおよびヘッドフォンなどの音声出力を行ってもよい。
【０１１２】
ストレージ装置１４８は、データ格納用の装置である。ストレージ装置１４８は、記憶媒体、記憶媒体にデータを記録する記録装置、記憶媒体からデータを読み出す読出し装置および記憶媒体に記録されたデータを削除する削除装置等を含んでもよい。ストレージ装置１４８は、ＣＰＵ１３２が実行するプログラムや各種データを格納する。
【０１１３】
接続ポート１５０は、例えば、情報処理装置１００の外部の情報処理装置または周辺機器と接続するためのバスである。また、接続ポート１５０は、ＵＳＢ（Ｕｎｉｖｅｒｓａｌ  Ｓｅｒｉａｌ  Ｂｕｓ）であってもよい。
【０１１４】
通信装置１５２は、例えば、情報処理装置１００の通信部１０２の一例として、ネットワークに接続するための通信デバイスで構成された通信インターフェースである。また、通信装置１５２は、赤外線通信対応装置であっても、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。
【０１１５】
＜５．むすび＞
本開示の第１の実施形態によれば、制御対象とする撮像装置２００が、当該撮像装置２００の動作状態に基づいて自動的に特定されるため、ユーザに操作を行わせずに済み、ユーザの利便性を向上させることが可能となる。また、本開示の第２の実施形態によれば、動作指示の起点となる撮像装置２００が特定されることにより、ユーザの意図しない動作指示の発生を抑制することが可能となる。
【０１１６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１７】
例えば、上記実施形態では、情報処理装置１００は携帯通信端末であるとしたが、本技術はかかる例に限定されない。例えば、情報処理装置１００は、撮像装置２００で実現されてもよい。この場合、撮像装置２００の有する機能を流用して情報処理装置１００の動作を実現することにより、コストを低減することが可能となる。
【０１１８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１９】
なお、以下のような構成も本開示の技術的範囲に属する。
（１）接続されている撮像装置の動作状態情報を取得する取得部と、前記取得部により取得される前記撮像装置の動作状態情報に基づいて特定される撮像装置に動作指示を行う動作指示部と、を備える情報処理装置。
（２）前記動作状態情報は、動作モードを示す情報を含み、前記動作指示部は、取得された撮像装置の動作状態情報の示す動作モードと関連する動作モードである撮像装置に動作指示を行う、前記（１）に記載の情報処理装置。
（３）前記動作指示部は、正常動作しない動作状態の撮像装置には動作指示を行わない、前記（２）に記載の情報処理装置。
（４）前記動作指示部は、前記取得部により取得される前記撮像装置の動作状態の変化を契機に動作指示を行う、前記（１）〜（３）のいずれか１項に記載の情報処理装置。
（５）前記動作指示は、前記変化に係る撮像装置と異なる撮像装置の動作状態を、前記変化に係る撮像装置の変化後の動作状態に遷移させる指示を含む、前記（４）に記載の情報処理装置。
（６）前記動作指示は、前記変化に係る撮像装置と異なる撮像装置の動作状態を、前記変化に係る撮像装置の変化後の動作状態と異なる動作状態に遷移させる指示を含む、前記（４）または（５）に記載の情報処理装置。
（７）前記動作指示部は、動作異常により前記撮像装置の動作状態が変化した場合、動作指示を行わない、前記（４）〜（６）のいずれか１項に記載の情報処理装置。
（８）前記動作指示が行われる契機となる前記変化に係る撮像装置を設定する設定部をさらに備え、前記動作指示部は、前記設定部により設定された撮像装置の動作状態の変化を契機に動作指示を行う、前記（４）〜（７）のいずれか１項に記載の情報処理装置。
（９）前記動作指示部は、撮像装置の属するグループ毎に動作指示を行う、前記（４）〜（８）のいずれか１項に記載の情報処理装置。
（１０）前記動作指示部は、動作状態が変化した撮像装置の属するグループに属する、前記動作状態が変化した撮像装置と異なる撮像装置に動作指示を行う、前記（９）に記載の情報処理装置。
（１１）前記情報処理装置は、前記撮像装置である、前記（１）〜（１０）のいずれか１項に記載の情報処理装置。
（１２）撮像部と、動作状態情報を送信する通信部と、を有する撮像装置と、接続されている前記撮像装置の動作状態情報を受信する通信部と、前記通信部により受信される前記撮像装置の動作状態情報に基づいて特定される撮像装置に動作指示を、前記通信部を介して行う動作指示部と、を有する情報処理装置と、を備え、前記撮像装置は、前記情報処理装置からの動作指示に基づいて撮像部の制御を行う情報処理システム。
（１３）接続されている撮像装置の動作状態情報を取得することと、取得される前記撮像装置の動作状態情報に基づいて特定される撮像装置に動作指示を行うことと、を含む情報処理方法。
（１４）接続されている撮像装置の動作状態情報を取得する取得機能と、前記取得機能により取得される前記撮像装置の動作状態情報に基づいて特定される撮像装置に動作指示を行う動作指示機能と、をコンピュータに実現させるためのプログラム。
【符号の説明】
【０１２０】
１００    情報処理装置
１０２    通信部
１０４    記憶部
１０６    動作指示部
１０８    表示部
１２０    操作検出部
１２２    設定部
２００    撮像装置
【図１】
2015128254.tif 000003
【図２】
2015128254.tif 000004
【図３】
2015128254.tif 000005
【図４】
2015128254.tif 000006
【図５】
2015128254.tif 000007
【図６】
2015128254.tif 000008
【図７】
2015128254.tif 000009
【図８】
2015128254.tif 000010
【図９】
2015128254.tif 000011
【図１０】
2015128254.tif 000012
【図１１】
2015128254.tif 000013